(57)【要約】    【課題】  カラス等に効果的に対処することができる安価なゴミ集積装置を提供することである。    【解決手段】  集積されるゴミを覆う網（３２）と、網を吊り下げるための支持構造体（１２）と、多数の矩形板（２８ａ）を蛇腹状に連結することによって形成される外壁部材（２８）とを備え、使用時には、支持構造体によって網を吊り下げるとともに、矩形板を広げることによって、周囲にほぼ円形の外壁を作り、不使用時には、支持構造体から網を取り外すとともに、矩形板を折り畳んでコンパクトにするように構成されていることを特徴とするゴミ集積装置（１０）が提供される。【選択図】  図１
2006273526.tif 000002
【特許請求の範囲】
【請求項１】
ゴミ集積装置であって、
集積されるゴミを覆う網と、
前記網を吊り下げるための支持構造体と、
多数の矩形板を蛇腹状に連結することによって形成される外壁部材とを備え、
使用時には、前記支持構造体によって前記網を吊り下げるとともに、前記矩形板を広げることによって、周囲にほぼ円形の外壁を作り、不使用時には、前記支持構造体から前記網を取り外すとともに、前記矩形板を折り畳んでコンパクトにするように構成されていることを特徴とする装置。
【請求項２】
前記網の裾に沿って重りが取付けられていることを特徴とする請求項１に記載の装置。
【発明の詳細な説明】
【技術分野】
【０００１】
本発明は、ゴミ集積装置に関する。
【背景技術】
【０００２】
家庭から排出され、定期的に所定箇所に集積されるゴミは、ゴミ収集車により回収されるようになっているが、家庭からゴミが排出される時刻とゴミ回収車による回収時刻との間に時間差があるため、その間は、ゴミが集積箇所に放置されることになる。
【発明の開示】
【発明が解決しようとする課題】
【０００３】
しかしながら、このようにして放置されているゴミにカラス等が群がり、生ゴミ等を食い散らかすため、衛生上及び美観上問題となっており、種々の対策が講じられているが、コストを含めて考えると、効果的な対策は見当たらないのが現状である。
【０００４】
本発明は、このような状況に鑑みて案出されたものであって、カラス等に効果的に対処することができる安価なゴミ集積装置を提供することを目的としている。
【課題を解決するための手段】
【０００５】
本願請求項１に記載のゴミ集積装置は、集積されるゴミを覆う網と、前記網を吊り下げるための支持構造体と、多数の矩形板を蛇腹状に連結することによって形成される外壁部材とを備え、使用時には、前記支持構造体によって前記網を吊り下げるとともに、前記矩形板を広げることによって、周囲にほぼ円形の外壁を作り、不使用時には、前記支持構造体から前記網を取り外すとともに、前記矩形板を折り畳んでコンパクトにするように構成されていることを特徴とするものである。
【０００６】
本願請求項２に記載のゴミ集積装置は、前記請求項１の装置において、前記網の裾に沿って重りが取付けられていることを特徴とするものである。
【発明の効果】
【０００７】
本発明のゴミ集積装置を用いると、カラス等にゴミを食い散らかされることがなくなるので、衛生上及び美観上好ましい。また、本発明のゴミ集積装置は、極めて簡単な構造であるため、安価であり、故障するおそれもない。
【発明を実施するための最良の形態】
【０００８】
次に図面を参照して、本発明の好ましい実施の形態に係るゴミ集積装置について詳細に説明する。図１において全体として参照符号１０で示される本発明の好ましい実施の形態に係るゴミ集積装置は、支持構造体１２を備えている。
【０００９】
支持構造体１２は、底板１４と、底板１４に下端が固定され、垂直方向上方に延びた柱１６と、柱１６の上端に固定され、水平方向に延びた水平部材１８とを有している。水平部材１８には、水平部材１８と直交して水平方向に延びた一対の側部材２０と、一対の側部材２０の先端を連結する連結部材２２とが設けられており、水平部材１８、側部材２０、及び連結部材２２によって、矩形の空間２４が形成されるようになっている。
【００１０】
連結部材２２の両端には、側部材２０との接続箇所よりも外方に延びた端部分２２ａがそれぞれ形成されており、各端部分２２ａの上端には、弧状の切欠き２２ｂがそれぞれ設けられている。一方、水平部材１８の両端には、後述する網３２を吊るための吊り部材２６が取付けられており、吊り部材２６は好ましくは、水平部材１８に対して回動可能になるようにピン接合されている（図２（ａ）参照）。
【００１１】
吊り部材２６の長さは、側部材２０の長さよりも長くなるように選定されており、吊り部材２６を先端が端部分２２ａの切欠き２２ｂ上に載るように回動させ、先端に取付けられたフック２６ａに網３２を引っ掛けることによって、網３２を吊ることができるようになっている（図２（ｂ）参照）。なお、不使用時（網３２を吊らない場合）には、吊り部材２６を降ろし、柱部材１６に紐等で縛っておけばよい。
【００１２】
ゴミ集積装置１０は又、外壁部材２８を備えている。外壁部材２８は、多数の矩形板２８ａを蛇腹状に連結することによって形成されている。すなわち、外壁部材２８は、多数の矩形板２８ａを有し、隣接する矩形板２８ａが、例えば蝶番２８ｂを用いて蛇腹状に連結されている。そして、不使用時には、バンド２８ｃ等で縛ることによってコンパクトになっているが、使用時に、図３に示されるように、バンド２８ｃを解いて矩形板２８ａを広げることによって、ゴミ集積装置１０の周囲にほぼ円形の外壁を作ることができる。なお、矩形板２８ａは、カラスの侵入を防ぐため、或る程度重量のある木製材などで形成するのがよい。
【００１３】
好ましくは、外壁部材２８は、図４に示されるように、多数の矩形板２８ａと１枚の幅広の矩形板２８′ａを蛇腹状に連結することによって形成されており、不使用時には、幅広の矩形板２８′ａに固定された取付け治具２８ｄを、底板１４に固定されたＬ形治具１４ａに差し込むことによって、底板１４上に置かれるようになっている。好ましくは、矩形板２８ａの上端に把手２８ｅが取付けられている。
【００１４】
なお、不使用時に網３２を収容しておく箱３０が、水平部材１８、側部材２０、及び連結部材２２によって形成される矩形の空間２４に嵌め込まれている。
【００１５】
以上のように構成されたゴミ集積装置１０の使用について説明する。図５は、網３２を吊っていない状態を示したゴミ集積装置１０の使用状態図であり、図６は、網３２を吊っている状態を示したゴミ集積装置１０の使用状態図である。まず、箱３０から網３２を出すとともに（網３２を出した箱３０は、再び空間２４に嵌め込んでおくのがよい）、吊り部材２６を先端が端部分２２ａの切欠き２２ｂ上に載るように回動させ、先端に取付けられたフック２６ａに網３２を引っ掛ける。次いで、外壁部材２８の矩形板２８ａを広げて、円形の外壁を形成する。その際、網３２の裾は、矩形板２８ａの下側にたくし込んでおく。このようにしておくと、カラス等がゴミ集積装置１０の網３２で囲まれた内側に侵入することはできない。
【００１６】
ゴミ集積装置１０の不使用時には、網３２をフック２６ａから外して畳み、箱３０の中に収容するとともに、吊り部材２６を降ろし、柱部材１６に紐で縛りつける。また、外壁部材２８の矩形板２８ａを折り畳んで、取付け治具２８ｄを底板１４のＬ形治具１４ａに差し込むことによって、容易に動かないように底板１４上に置かれる。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
たとえば、前記実施の形態では、ゴミ集積装置１０の使用時に網３２の裾を矩形板２８ａの下側にたくし込んでいるが、例えば、網３２の裾に沿って重り３２ａを取り付けておくと、網３２の裾を矩形板２８ａの下側にたくし込まなくとも、カラスの侵入を確実に排除することができる。
【図面の簡単な説明】
【００１９】
【図１】本発明の好ましい実施の形態に係るゴミ集積装置を示した概略斜視図である。
【図２】図２（ａ）は吊り部材が水平部材にピン接合されている状態を示した拡大斜視図、図２（ｂ）は吊り部材が端部材の切欠きに載せられている状態を示した拡大斜視図である。
【図３】外壁部材の矩形板を広げた状態を示した部分斜視図である。
【図４】外壁部材の収納状態の一例を示した斜視図である。
【図５】図１のゴミ集積装置の網を吊っていない状態を示した斜視図である。
【図６】図１のゴミ集積装置の使用状態を示した斜視図である。
【符号の説明】
【００２０】
１０  ゴミ集積装置
１２  支持構造体
１４  底板
１６  柱部材
１８  水平部材
２０  側部材
２２  連結部材
２４  空間
２６  吊り部材
２８  外壁部材
３０  箱
３２  網
【図１】
2006273526.tif 000003
【図２】
2006273526.tif 000004
【図３】
2006273526.tif 000005
【図４】
2006273526.tif 000006
【図５】
2006273526.tif 000007
【図６】
2006273526.tif 000008